【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
プロセッサと、
前記プロセッサと電子通信しているメモリと、
前記メモリに記憶された命令と
を備え、前記命令が、前記プロセッサによって実行されたとき、前記装置に、
ワイヤレスローカルエリアネットワーク（ＷＬＡＮ）のソースデバイスにおいて、前記ソースデバイスと前記ＷＬＡＮのシンクデバイスとの間の第１のワイヤレスリンクの複数の属性と、前記ソースデバイスと前記シンクデバイスとの間の第２のワイヤレスリンクの複数の属性とを識別させ、
前記ソースデバイスから、少なくとも前記第２のワイヤレスリンクのための好ましい接続を含むソースデバイス接続ポリシーを送信させ、
前記第１のワイヤレスリンクの前記複数の属性を、ストリーミングプロトコルに関連付けられた前記ソースデバイス接続ポリシーと比較させ、前記第２のワイヤレスリンクの前記複数の属性を、前記ストリーミングプロトコルに関連付けられた前記ソースデバイス接続ポリシーと比較させ、
前記ソースデバイスにおいて、前記比較に少なくとも部分的に基づいて、前記第１のワイヤレスリンクを介して前記シンクデバイスとのストリーミングセッションを確立するか、前記第２のワイヤレスリンクを介して前記シンクデバイスとのストリーミングセッションを確立するかを決定させる
ように動作可能である、
装置。
【請求項２】
前記命令が、前記プロセッサに、
前記第１のワイヤレスリンクを介した前記ストリーミングセッションを確立させ、
前記決定に少なくとも部分的に基づいて、前記第１のワイヤレスリンクを介した前記ストリーミングセッションを前記第２のワイヤレスリンクを介した前記ストリーミングセッションに切り替えさせる
ようにさらに動作可能である、請求項１に記載の装置。
【請求項３】
前記命令が、前記プロセッサに、
前記好ましい接続に少なくとも部分的に基づいて、前記第１のワイヤレスリンクを介して、前記ソースデバイスと前記シンクデバイスとの間にアプリケーションサービスプラットフォーム（ＡＳＰ）セッションを確立させ、
前記第１のワイヤレスリンクを介して前記シンクデバイスにストリーミングセッション要求メッセージを送信させる
ようにさらに動作可能である、請求項１に記載の装置。
【請求項４】
前記命令が、前記プロセッサに、
前記シンクデバイスからシンクデバイス接続ポリシーを受信させる
ようにさらに動作可能である、請求項１に記載の装置。
【請求項５】
前記命令が、前記プロセッサに、
前記ソースデバイスにおいて、前記ソースデバイス接続ポリシーを変更させ、
前記ソースデバイスから、前記変更されたソースデバイス接続ポリシーを前記シンクデバイスに送信させる
ようにさらに動作可能である、請求項１に記載の装置。
【請求項６】
前記命令が、前記プロセッサに、
前記第１のワイヤレスリンクを介した前記ストリーミングセッションを確立させ、
前記ソースデバイスにおいて、前記ソースデバイス接続ポリシーを変更させ、
前記変更されたソースデバイス接続ポリシーに少なくとも部分的に基づいて、前記第１のワイヤレスリンクを介した前記ストリーミングセッションを前記第２のワイヤレスリンクを介した前記ストリーミングセッションに切り替えさせる
ようにさらに動作可能である、請求項１に記載の装置。
【請求項７】
前記命令が、前記プロセッサに、
前記ストリーミングセッションを確立する前に、前記第１のワイヤレスリンクのリンク品質を決定するために、前記第１のワイヤレスリンクの前記複数の属性に関連付けられたリンク品質テストを実行させる
ようにさらに動作可能である、請求項１に記載の装置。
【請求項８】
前記命令が、前記プロセッサに、
前記シンクデバイスから、前記第１のワイヤレスリンクに関連付けられた１つまたは複数のリンク品質メトリックを受信させる
ようにさらに動作可能である、請求項１に記載の装置。
【請求項９】
前記命令が、前記プロセッサに、
前記ストリーミングセッションに関連付けられたリンク品質テストを実行させる
ようにさらに動作可能である、請求項１に記載の装置。
【請求項１０】
前記ソースデバイス接続ポリシーが、既存の接続パラメータ、コンカレンシーサポートパラメータ、マルチキャストサポートパラメータ、サポートされている周波数帯域パラメータ、または最小リンクスループットパラメータのうちの１つもしくは複数を備える、請求項１に記載の装置。
【請求項１１】
前記プロセッサに、前記第１のワイヤレスリンクの前記複数の属性を前記ソースデバイス接続ポリシーと比較させるように動作可能な前記命令が、前記プロセッサに、
前記第１のワイヤレスリンクの前記識別された１つまたは複数の属性に対応する前記ソースデバイス接続ポリシーのプリファレンスを識別させ、
前記第１のワイヤレスリンクの前記識別された複数の属性が前記ソースデバイス接続ポリシーの前記プリファレンスを満たすかどうかを決定させる
ように動作可能な命令を備え、
前記プロセッサに、前記第２のワイヤレスリンクの前記複数の属性を前記ソースデバイス接続ポリシーと比較させるように動作可能な前記命令が、前記プロセッサに、
前記第２のワイヤレスリンクの前記識別された複数の属性に対応する前記ソースデバイス接続ポリシーの前記プリファレンスを識別させ、
前記第２のワイヤレスリンクの前記識別された複数の属性が前記ソースデバイス接続ポリシーの前記プリファレンスを満たすかどうかを決定させる
ように動作可能な命令を備える、
請求項１に記載の装置。
【請求項１２】
前記第１のワイヤレスリンクまたは前記第２のワイヤレスリンクの前記複数の属性が、サポートされている周波数帯域、リンクスループット、または受信信号強度表示（ＲＳＳＩ）を備え、
前記ソースデバイス接続ポリシーの前記プリファレンスが、前記サポートされている周波数帯域、前記リンクスループット、または前記ＲＳＳＩに関連付けられた所定のしきい値を備え、
前記プロセッサに、前記第１のワイヤレスリンクまたは前記第２のワイヤレスリンクの前記識別された複数の属性が前記ソースデバイス接続ポリシーの前記プリファレンスを満たすかどうかを決定させるように動作可能な前記命令が、前記プロセッサに、
前記サポートされている周波数帯域、前記リンクスループット、または前記ＲＳＳＩが前記所定のしきい値を超えているかどうかを決定させる
ように動作可能な命令を備える、
請求項１１に記載の装置。
【請求項１３】
前記命令が、前記プロセッサに、
前記ストリーミングプロトコルをサポートする１つまたは複数のサービス広告主を識別するためにサービスディスカバリプロトコルを実行させる、ここにおいて、前記１つまたは複数のサービス広告主が前記シンクデバイスを含む、
ようにさらに動作可能である、請求項１に記載の装置。
【請求項１４】
前記命令が、前記プロセッサに、
前記ソースデバイスのアプリケーションから前記ストリーミングセッションを確立する旨の要求を受信させ、ここにおいて、前記要求が、ソースデバイスディスカバリポリシーを備える、
前記ソースデバイスディスカバリポリシーに少なくとも部分的に基づいて実行するための前記サービスディスカバリプロトコルを決定させる
ようにさらに動作可能である、請求項１３に記載の装置。
【請求項１５】
前記ソースデバイスディスカバリポリシーが、サポートされているディスカバリプロトコルパラメータおよび好ましいディスカバリプロトコルパラメータのうちの１つまたは複数を備える、請求項１４に記載の装置。
【請求項１６】
前記命令が、前記プロセッサに、
マルチキャストドメインネームシステム（ｍＤＮＳ）サービスディスカバリプロトコル、またはユニバーサルプラグアンドプレイ（ＵＰｎＰ）プロトコルにおけるシンプルサービスディスカバリプロトコル（ＳＳＤＰ）のうちの１つもしくは複数を使用した事後関連付けディスカバリ、あるいはワイヤレスピアツーピア（Ｐ２Ｐ）ディスカバリ手順を使用した事前関連付けディスカバリを実行させる
ようにさらに動作可能である、請求項１３に記載の装置。
【請求項１７】
前記第１のワイヤレスリンクが、前記ＷＬＡＮのアクセスポイントを介した前記ソースデバイスと前記シンクデバイスとの間のインフラストラクチャリンクを備える、請求項１３に記載の装置。
【請求項１８】
前記ストリーミングセッションが、前記ソースデバイスと前記シンクデバイスとの間の第２のワイヤレス接続を介し、前記第２のワイヤレス接続が、前記ソースデバイスと前記シンクデバイスとの間のワイヤレスピアツーピア接続を備える、請求項１に記載の装置。
【請求項１９】
ワイヤレス通信のための装置であって、
ワイヤレスローカルエリアネットワーク（ＷＬＡＮ）のソースデバイスにおいて、前記ソースデバイスと前記ＷＬＡＮのシンクデバイスとの間の第１のワイヤレスリンクの複数の属性と、前記ソースデバイスと前記シンクデバイスとの間の第２のワイヤレスリンクの複数の属性とを識別するためのリンクモニタ回路と、
前記ソースデバイスから、少なくとも前記第２のワイヤレスリンクのための好ましい接続を示すソースデバイス接続ポリシーを送信するための送信機回路と、
前記第１のワイヤレスリンクの前記複数の属性を、ストリーミングプロトコルに関連付けられた前記ソースデバイス接続ポリシーと比較し、前記第２のワイヤレスリンクの前記複数の属性を、前記ストリーミングプロトコルに関連付けられた前記ソースデバイス接続ポリシーと比較するための接続マネージャ回路と、
前記ソースデバイスにおいて、前記比較に少なくとも部分的に基づいて、前記第１のワイヤレスリンクを介して前記シンクデバイスとのストリーミングセッションを確立するか、前記第２のワイヤレスリンクを介して前記シンクデバイスとのストリーミングセッションを確立するかを決定するためのストリーミングセッションマネージャ回路と
を備える装置。
【請求項２０】
前記第１のワイヤレスリンクを介した前記ストリーミングセッションを確立するためのストリーミングセッションマネージャ回路と、
前記決定に少なくとも部分的に基づいて、前記第１のワイヤレスリンクを介した前記ストリーミングセッションを前記第２のワイヤレスリンクを介した前記ストリーミングセッションに切り替えるためのストリーミングセッションマネージャ回路と
をさらに備える請求項１９に記載の装置。
【請求項２１】
前記第１のワイヤレスリンクを介した前記ストリーミングセッションを確立するためのストリーミングセッションマネージャ回路と、
前記ソースデバイスにおいて、前記ソースデバイス接続ポリシーを変更するための接続マネージャ回路と、
前記変更されたソースデバイス接続ポリシーに少なくとも部分的に基づいて、前記第１のワイヤレスリンクを介した前記ストリーミングセッションを前記第２のワイヤレスリンクを介した前記ストリーミングセッションに切り替えるためのストリーミングセッションマネージャ回路と
をさらに備える請求項１９に記載の装置。
【請求項２２】
前記ストリーミングセッションを確立する前に、前記第１のワイヤレスリンクのリンク品質を決定するために、前記第１のワイヤレスリンクの前記属性に関連付けられたリンク品質テストを実行するためのリンクモニタ回路
をさらに備える請求項１９に記載の装置。
【請求項２３】
前記ストリーミングプロトコルをサポートする１つまたは複数のサービス広告主を識別するためにサービスディスカバリプロトコルを実行するためのディスカバリマネージャ回路、ここにおいて、前記１つまたは複数のサービス広告主が前記シンクデバイスを含む
をさらに備える請求項１９に記載の装置。
【請求項２４】
ワイヤレス通信の方法であって、
ワイヤレスローカルエリアネットワーク（ＷＬＡＮ）のソースデバイスにおいて、前記ソースデバイスと前記ＷＬＡＮのシンクデバイスとの間の第１のワイヤレスリンクの複数の属性と、前記ソースデバイスと前記シンクデバイスとの間の第２のワイヤレスリンクの複数の属性とを識別することと、
前記ソースデバイスから、少なくとも前記第２のワイヤレスリンクのための好ましい接続を含むソースデバイス接続ポリシーを送信することと、
前記第１のワイヤレスリンクの前記複数の属性を、ストリーミングプロトコルに関連付けられた前記ソースデバイス接続ポリシーと比較し、前記第２のワイヤレスリンクの前記複数の属性を、前記ストリーミングプロトコルに関連付けられた前記ソースデバイス接続ポリシーと比較することと、
前記ソースデバイスにおいて、前記比較に少なくとも部分的に基づいて、前記第１のワイヤレスリンクを介して前記シンクデバイスとのストリーミングセッションを確立するか、前記第２のワイヤレスリンクを介して前記シンクデバイスとのストリーミングセッションを確立するかを決定することと
を備える方法。
【請求項２５】
前記第１のワイヤレスリンクを介した前記ストリーミングセッションを確立することと、
前記決定に少なくとも部分的に基づいて、前記第１のワイヤレスリンクを介した前記ストリーミングセッションを前記第２のワイヤレスリンクを介した前記ストリーミングセッションに切り替えることと
をさらに備える請求項２４に記載の方法。
【請求項２６】
前記ソースデバイスにおいて、前記ソースデバイス接続ポリシーを変更することと、
前記ソースデバイスから、前記変更されたソースデバイス接続ポリシーを前記シンクデバイスに送信することと
をさらに備える請求項２４に記載の方法。
【請求項２７】
前記ストリーミングセッションを確立する前に、前記第１のワイヤレスリンクのリンク品質を決定するために、前記第１のワイヤレスリンクの前記複数の属性に関連付けられたリンク品質テストを実行すること
をさらに備える請求項２４に記載の方法。
【請求項２８】
前記ストリーミングプロトコルをサポートする１つまたは複数のサービス広告主を識別するためにサービスディスカバリプロトコルを実行すること、ここにおいて、前記１つまたは複数のサービス広告主が前記シンクデバイスを含む、
をさらに備える請求項２４に記載の方法。
【請求項２９】
ワイヤレス通信のためのコードを記憶する非一時的コンピュータ可読媒体であって、前記コードが、
ワイヤレスローカルエリアネットワーク（ＷＬＡＮ）のソースデバイスにおいて、前記ソースデバイスと前記ＷＬＡＮのシンクデバイスとの間の第１のワイヤレスリンクの複数の属性と、前記ソースデバイスと前記シンクデバイスとの間の第２のワイヤレスリンクの複数の属性とを識別し、
前記ソースデバイスから、少なくとも前記第２のワイヤレスリンクのための好ましい接続を含むソースデバイス接続ポリシーを送信し、
前記第１のワイヤレスリンクの前記複数の属性を、ストリーミングプロトコルに関連付けられた前記ソースデバイス接続ポリシーと比較し、前記第２のワイヤレスリンクの前記複数の属性を、前記ストリーミングプロトコルに関連付けられた前記ソースデバイス接続ポリシーと比較し、
前記ソースデバイスにおいて、前記比較に少なくとも部分的に基づいて、前記第１のワイヤレスリンクを介して前記シンクデバイスとのストリーミングセッションを確立するか、前記第２のワイヤレスリンクを介して前記シンクデバイスとのストリーミングセッションを確立するかを決定する、
ように実行可能な命令を備える、
非一時的コンピュータ可読媒体。
【請求項３０】
前記命令が、
前記第１のワイヤレスリンクを介した前記ストリーミングセッションを確立し、
前記決定に少なくとも部分的に基づいて、前記第１のワイヤレスリンクを介した前記ストリーミングセッションを前記第２のワイヤレスリンクを介した前記ストリーミングセッションに切り替える
ようにさらに実行可能である、請求項２９に記載の非一時的コンピュータ可読媒体。